(57)【特許請求の範囲】
【請求項１】
手術時に使用される複数の手術機器および手術時の生体情報を取得する生体モニタ機器から手術時に取得した複数種のデータを解析するための医療機器データ解析装置であって、
前記複数の手術機器および生体モニタ機器のそれぞれから出力される前記複数種のデータを入力するデータ入力部と、
前記データ入力部から入力された前記複数種のデータを記録するデータ記録部と、
前記データ記録部によって記録された複数種のデータを表示処理する表示処理部と、
前記データ入力部に入力された前記複数種のデータの中から表示すべきデータを設定する設定部と、
を具備し、
前記データ記録部は、前記手術機器から出力される手術データおよび前記生体モニタ機器から出力される生体情報を記録し、
前記設定部は、前記データ入力部に入力される前記複数種のデータであって、互いに同期されることなく入力された複数種のデータを表示装置に異なる時間軸により表示させ、互いに異なる時間軸により表示された前記複数種のデータの中から、前記表示すべきデータを選択させる表示選択部を有し、該表示選択部によって、前記表示すべきデータを設定し、
前記表示処理部は、前記設定部により選択的に設定された、互いに異なる時間軸により表示された複数種の前記手術データおよび前記生体情報を同期させて同一時間軸により表示可能なグラフ表示処理を行う
ことを特徴とする医療機器データ解析装置。
【請求項２】
前記表示処理部は、同一時間軸により表示したグラフ表示に対し、指定された時刻における各データ値を表示する表示処理を行うことを特徴とする請求項１に記載の医療機器データ解析装置。
【請求項３】
前記表示処理部は、同一時間軸により表示したグラフ表示に対し、指定された領域を拡大表示する拡大表示処理を行うことを特徴とする請求項１または２に記載の医療機器データ解析装置。
【発明の詳細な説明】
【技術分野】
【０００１】  本発明は、手術時に取得した医療機器からの複数種のデータを解析するための医療機器データ解析装置に関する。
【背景技術】
【０００２】  近年、医療機器の種類は、医療技術の発展と共に豊富となり、各機器の機能も充実傾向にある。各種医療機器としては、電気メス装置、超音波処置装置、レーザーメス等様々なものがある。これらの医療機器は、それぞれ単体で用いられる場合もあるが、複合した医療システムとして用いられる場合もある。【０００３】  このような医療システムの中には、例えば、特開２００２−２３３５３５号公報に提案されているように複数の医療機器を備えた手術システムがある。
上記従来の手術システムでは、各医療機器が同一の通信インターフェースや通信プロトコルを有している。このため、上記従来の手術システムでは、それぞれの通信部を介して各種医療機器がシステムコントローラにより集中制御されている。【０００４】  上記従来の手術システムでは、各種医療機器から出力される複数種のデータ、例えば内視鏡画像等の画像データ、気腹装置から得られる腹腔圧データ、超音波処置装置から出力される超音波出力データ等の手術機器のデータ、患者モニタ装置から得られる患者の血圧や脈拍等の生体情報、等が記録されている。手術後、医師は、記憶された上記医療機器の複数種のデータを読み出して、解析したり、表示処理してカルテ等の作成を行っている。【０００５】  上記解析時に、従来は、個々の医療機器毎に得られたデータは、タイムコードを付加して表形式で表示されていた。
しかしながら、複数の医療機器から出力される複数種のデータは、そのままタイムコードを付加して表形式で表示しても互いに時間軸が異なるため、各データ間の関連付けが困難であり、データの解析を行う者は、手術内容や手術時の様子を確認し難い場合がある。【０００６】  本発明は、上述した点に鑑みてなされたもので、より効率的にデータ解析を行うことができる医療機器データ解析装置を提供することを目的とする。
【発明の開示】
【課題を解決するための手段】
【０００７】
本発明の医療機器データ解析装置は、手術時に使用される複数の手術機器および手術時の生体情報を取得する生体モニタ機器から手術時に取得した複数種のデータを解析するための医療機器データ解析装置であって、前記複数の手術機器および生体モニタ機器のそれぞれから出力される前記複数種のデータを入力するデータ入力部と、前記データ入力部から入力された前記複数種のデータを記録するデータ記録部と、前記データ記録部によって記録された複数種のデータを表示処理する表示処理部と、前記データ入力部に入力された前記複数種のデータの中から表示すべきデータを設定する設定部と、を具備し、前記データ記録部は、前記手術機器から出力される手術データおよび前記生体モニタ機器から出力される生体情報を記録し、前記設定部は、前記データ入力部に入力される前記複数種のデータであって、互いに同期されることなく入力された複数種のデータを表示装置に異なる時間軸により表示させ、互いに異なる時間軸により表示された前記複数種のデータの中から、前記表示すべきデータを選択させる表示選択部を有し、該表示選択部によって、前記表示すべきデータを設定し、前記表示処理部は、前記設定部により選択的に設定された、互いに異なる時間軸により表示された複数種の前記手術データおよび前記生体情報を同期させて同一時間軸により表示可能なグラフ表示処理を行うことを特徴とする。
【図面の簡単な説明】
【０００８】
【図１】実施の形態の手術支援システムの全体構成図である。
【図２】第１手術室に配置される手術装置の構成例を示す図である。
【図３】図２の気腹装置のフロントパネルを示す構成図である。
【図４】図３の気腹装置を用いた時間に対する腹腔内の圧力を表すグラフである。
【図５】実施の形態の医療機器データ解析装置として図１のカンファレンス室のコンピュータの概略構成を示す図である。
【図６】図５のカンファレンス室のコンピュータのモニタに表示される同一時間軸グラフ表示画面の表示例である。
【図７】図６の同一時間軸グラフ表示画面から切り換わった数値表示画面の表示例である。
【図８】図６の同一時間軸グラフ表示画面において領域指定を行っている際の表示例である。
【図９】図８の同一時間軸グラフ表示画面から切り換わった拡大表示画面の表示例である。
【図１０】図６の同一時間軸グラフ表示画面に表示させる各データのグラフを選択して表示又は印刷するための表示印刷画面の表示例である。
【図１１】システムコントローラが制御は行わないが、データ通信を行う医療機器とも接続されている場合の例を示すシステム構成図である。
【図１２】電気メス装置の操作画面の例を示す図である。
【図１３】気腹装置の操作あるいは制御を可能とする画面の例を示す図である。
【図１４】血中酸素飽和濃度（ＳＰＯ２）値が異常であることを告知する告知画面の例を示す図である。
【発明を実施するための最良の形態】
【０００９】  以下、図面を参照して実施の形態を説明する。【００１０】  図１ないし図１０は実施の形態に係り、図１は本実施の形態の手術支援システムの全体構成図、図２は第１手術室に配置される手術装置の構成例を示す図、図３は図２の気腹装置のフロントパネルを示す構成図、図４は図３の気腹装置を用いた時間に対する腹腔内の圧力（以下、腹腔圧と略記する）を表すグラフ、図５は本実施の形態の医療機器データ解析装置として図１のカンファレンス室のコンピュータの概略構成を示す図、図６は図５のカンファレンス室のコンピュータのモニタに表示される同一時間軸グラフ表示画面の表示例、図７は図６の同一時間軸グラフ表示画面から切り換わった数値表示画面の表示例、図８は図６の同一時間軸グラフ表示画面において領域指定を行っている際の表示例、図９は図８の同一時間軸グラフ表示画面から切り換わった拡大表示画面の表示例、図１０は図６の同一時間軸グラフ表示画面に表示させる各データのグラフを選択して表示又は印刷するための表示印刷画面の表示例である。【００１１】  図１に示すように、本実施の形態の手術支援システム１では、例えば第１の手術室５０内に図２に示す手術装置２が配置されている。この手術装置２は、第１の手術室５０内に配置された第１のコントローラ５１と接続されている。なお、図１では手術装置２の一部が示されている。手術装置２の構成については後述する。
この第１のコントローラ５１は、手術部ＬＡＮ等の通信回線５２を介して手術室サーバ５３に接続されると共に、第２の手術室５４、第３の手術室５５にそれぞれ設置された図示しない第２、第３のコントローラにそれぞれ接続されている。【００１２】  前記手術室サーバ５３は、各手術室の各コントローラにより得られた各種医療情報を集積し、カルテ情報を生成するようになっている。また、手術室サーバ５３等が接続された通信回線５２には、テレビ会議の機能を有し、各手術室の状態及び医療処置の観察、並びに医療処置の指示を行うカンファレンス室５６のパーソナルコンピュータ（コンピュータと略記）５７も接続されている。【００１３】  また、手術室サーバ５３と別の拠点には、患者情報蓄積手段としての院内サーバ５８が設置されている。この院内サーバ５８は、通信回線５９を介して手術室サーバ５３と接続されており、手術室サーバ５３で得られたカルテ情報（病状等の病歴情報、投薬などの医療処置情報）を患者別に取り込んで整理統合し集積するようになっている。【００１４】  また、手術室サーバ５３は、院内通信回線５９を介してＷＥＢサーバ６１とも接続されている。また、院内サーバ５８には、患者登録情報を入力する患者登録端末６２が接続されている。院内サーバ５８には、患者登録端末６２からの患者登録情報と、各患者に関連する病歴情報、医療処置情報、及び医療画像情報などのカルテ情報が蓄積されるようになっている。【００１５】  第１の手術室５０に配置された第１のコントローラ５１には、第１の手術室５０内で手術する患者３５を特定する情報を入力するための入力手段である入力装置（キーボード、磁気カードリーダー等）６３と、第１のコントローラ５１からの出力により内視鏡画像等の画像データ，手術装置情報，患者情報，サムネイル画像，医師の所見等を集約して表示する表示装置６４と、患者３５の血圧や脈拍等の生体情報を取得し第１のコントローラ５１に供給する生体モニタ装置６５と、第１のコントローラ５１に接続されて、室内の状況を撮影するための室内カメラ６６とが配設されている。【００１６】  室内カメラ６６は、カンファレンス室５６の医師と、手術室５０，５４又は５５の担当医師がテレビ会議装置を用いて会話しながら手術等を実行していく場合などに、カンファレンス室５６の医師からの撮影位置の指示などに基づいてカメラアングルをコントロールできるようになっている。【００１７】  さらにこの第１のコントローラ５１は、信号伝送装置６７を介して院外と接続された通信回線６８と接続され、手術装置２により得た映像信号等を外部にも送信したり、外部からの映像信号等を受信して表示装置６４で表示することもできるようにしている。【００１８】  図２は、図１における手術装置２の構成を示す。
図２に示すように、第１手術室５０内には、患者３５が横たわる患者ベッド１０の周囲に内視鏡を利用した手術装置２が配置されている。この手術装置２は、第１カート１１及び第２カート１２を有している。【００１９】  第１カート１１には、被制御装置である医療機器として例えば電気メス装置１３、気腹装置１４、超音波処置装置（不図示）等の手術機器、内視鏡用カメラ装置（カメラコントロールユニット（ＣＣＵ）ともいう）１５、光源装置１６及びビデオテープレコーダ（ＶＴＲ）１７等の装置類と、二酸化炭素等を充填したガスボンベ１８が載置されている。内視鏡用カメラ装置１５は、カメラケーブル３２ａを介して第１の内視鏡３１に装着された第１のカメラヘッド３２に接続される。光源装置１６は、ライトガイドケーブル３１ａを介して第１の内視鏡３１に接続される。【００２０】  また、第１カート１１には、表示装置１９、第１の集中表示パネル２０、操作パネル２１等も載置されている。表示装置１９は、内視鏡画像等を表示する例えばＴＶモニタである。
集中表示パネル２０は、手術中のあらゆるデータを選択的に表示させることが可能な表示装置である。操作パネル２１は、例えば液晶ディスプレイ等の表示部とこの表示部上に一体的に設けられた例えばタッチセンサにより構成され、非滅菌域にいる看護師等が操作する集中操作装置になっている。【００２１】  更に、第１カート１１には、制御装置であるシステムコントローラ２２も載置されている。このシステムコントローラ２２には、上述の電気メス装置１３と気腹装置１４と内視鏡用カメラ装置１５と光源装置１６とＶＴＲ１７とが、それぞれ図示しない通信線を介して接続されている。このシステムコントローラ２２には、通信コントローラ３６が内蔵されており、通信ケーブル３７を介して、図１に示す第１のコントローラ５１に接続されている。尚、システムコントローラ２２は、前記第１のコントローラ５１と同様な機能を有してもよい。【００２２】  また、システムコントローラ２２は、ＣＰＵ２２ａを含み、ＣＰＵ２２ａが所定の制御プログラムを実行することによって、電気メス装置１３等の被制御装置を制御する。よって、ＣＰＵ２２ａとその制御プログラムは、医療機器を制御する医療機器制御部を構成する。【００２３】  一方、第２カート１２には、被制御装置である、内視鏡用カメラ装置２３、光源装置２４、画像処理装置２５、表示装置２６及び第２の集中表示パネル２７が載置されている。
内視鏡用カメラ装置２３はカメラケーブル３４ａを介して第２の内視鏡３３に装着された第２のカメラヘッド３４に接続される。光源装置２４はライトガイドケーブル３３ａを介して第２の内視鏡３３に接続される。【００２４】  表示装置２６は、内視鏡用カメラ装置２３でとらえた内視鏡画像等を表示する。第２の集中表示パネル２７は、手術中のあらゆるデータを選択的に表示させることが可能になっている。
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。【００２５】  従って、システムコントローラ２２は、これらの第２カート１２に搭載されているカメラ装置２３、光源装置２４及び画像処理装置２５と、第１カート１１に搭載されている電気メス装置１３、気腹装置１４、カメラ装置１５、光源装置１６及びＶＴＲ１７とを集中制御するようになっている。【００２６】  このため、システムコントローラ２２とこれらの装置との間で通信が行われている場合、システムコントローラ２２は、上述の操作パネル２１の液晶ディスプレイ上に、接続されている各装置の設定状態、操作スイッチ等の設定画面を表示できるようになっている。さらに、システムコントローラ２２は、操作パネル２１の所望の操作スイッチが触れられて所定領域のタッチセンサが操作されることによって設定値の変更等の操作入力が行えるようになっている。【００２７】  リモートコントローラ（リモコンと略記）３０は、滅菌域にいる執刀医（術者）等が操作する第２集中操作装置であり、通信が成立している他の装置を、システムコントローラ２２を介して操作することができるようになっている。このシステムコントローラ２２は、第１のコントローラ５１を経て取得した生体情報を解析し、この解析結果を所望の表示装置に表示させることができる。【００２８】  本実施の形態においては、例えば第１の手術室５０で手術装置２を用いて手術が行われているとき、内視鏡３１、３３にそれぞれ装着された第１及び第２のカメラヘッド３２，３４で撮影され、内視鏡用カメラ装置１５、２３で信号処理されて生成された内視鏡画像等の画像データ、さらに電気メス装置１３、気腹装置１４、超音波処置装置（不図示）等の手術機器の複数種のデータが表示装置１９，２６および／または集中表示パネル２０，２７で表示される。これらの画像データ及び複数種のデータは、通信コントローラ３６を介して第１のコントローラ５１に殆どリアルタイムに送信され、第１のコントローラ５１内部のハードディスク等の記録装置に蓄積されるようになっている。さらに、第１のコントローラ５１内部のハードディスク等の記録装置には、生体モニタ装置６５からの生体情報、患者情報等も蓄積されるようになっている。【００２９】  そして、手術後等において、例えばカンファレンス室５６のコンピュータ５７は、第１のコントローラ５１等に蓄積されている内視鏡画像等の画像データ、手術機器の複数種のデータ及び生体情報、患者情報を読み出して、コンピュータ５７内のハードディスクに格納し、その格納されたデータの解析処理、表示処理等の編集ができるようにしている。【００３０】  また、第１の手術室５０の手術をカンファレンス室５６から支援するような場合には、カンファレンス室５６のコンピュータ５７のモニタ４８（図５参照）に第１の手術室５０の手術で撮像した内視鏡画像等の画像データを表示し、支援やアドバイスを行うことができるようにしている。尚、このコンピュータ５７は、設置された端末ではなく、ＰＤＡ等の可搬デバイスであってもよい。【００３１】  尚、手術機器の一例として例えば、気腹装置１４について説明する。
図３に示すように気腹装置１４のフロントパネルには、ガスボンベ１８に関する設定、操作及び表示のための供給源設定表示部１４Ａと、腹腔に関する設定、操作及び表示のための腹腔用設定表示部１４Ｂとが分割して設けられている。また、前記腹腔用設定表示部１４Ｂの下側には、気腹用送気ポートとしての腹腔用供給口金７０が設けられている。【００３２】  前記供給源設定表示部１４Ａには、電源スイッチ７１、送気開始ボタン７２、送気停止ボタン７３、ガス供給量表示部７４が設けられている。前記腹腔用設定表示部１４Ｂには、腹腔圧表示部７５ａ，腹腔圧設定表示部７５ｂ、腹腔流量表示部７６ａ，腹腔流量設定表示部７６ｂ、送気ガス総量表示部７７、圧力警告灯７８、腹腔圧設定ボタン７９ａ，７９ｂ、送気ガス流量設定ボタン７９ｃ，７９ｄが設けられている。【００３３】  前記電源スイッチ７１は、気腹装置１４の電源をオン状態又はオフ状態に切り替えるスイッチである。この電源スイッチ７１をオン状態にすることによって操作可能な状態になる。前記送気開始ボタン７２は、腹腔へのガスの供給開始を指示するボタンである。前記送気停止ボタン７３は、腹腔へのガスの供給停止を指示するスイッチである。【００３４】  腹腔圧設定ボタン７９ａ及び送気ガス流量設定ボタン７９ｃは、それぞれボタン操作することによって設定値を徐々に高くなる方向に変化させられる。一方、腹腔圧設定ボタン７９ｂ及び送気ガス流量設定ボタン７９ｄは、それぞれボタン操作することによって設定値を徐々に低くなる方向に変化させられる。【００３５】  ガス供給量表示部７４には、ガスボンベ１８からのガス供給量が表示される。腹腔圧表示部７５ａには、圧力センサで測定された腹腔圧の測定結果が表示される。一方、腹腔圧設定表示部７５ｂには、例えば腹腔圧設定ボタン７９ａ，７９ｂをボタン操作して設定された腹腔圧の圧力設定値が表示される。【００３６】  腹腔流量表示部７６ａには、流量センサによって測定された腹腔流量の測定結果が表示される。一方、腹腔流量設定表示部７６ｂには、送気ガス流量設定ボタン７９ｃ，７９ｄをボタン操作して設定された腹腔流量の流量設定値が表示される。送気ガス総量表示部７７には、流量センサの計測値に基づいて求められる送気ガス総量が表示される。前記圧力警告灯７８は、例えば消灯状態から点滅表示状態又は赤色発光状態に変化して、腹腔圧が設定値より高くなったことを術者等に告知するようになっている。【００３７】  尚、腹腔圧の設定、腹腔への送気ガス流量の設定等は、前記操作パネル２１によっても行える。また、前記集中表示パネル２０に、腹腔圧表示部７５ａ、腹腔圧設定表示部７５ｂ、腹腔流量表示部７６ａ，腹腔流量設定表示部７６ｂ及び送気ガス総量表示部７７に表示される値の中から術者が予め指定した１つ又は複数の値を表示させるようにしてもよい。
このように構成されている気腹装置１４を用いて、例えば患者の腹腔圧は、図４に示すように制御されている。この例では、腹腔圧設定値が１２ｍｍＨｇに設定されている。【００３８】  上述したようにカンファレンス室５６のコンピュータ５７は、第１の手術室５０の手術を支援可能であると共に、第１のコントローラ５１等に蓄積されている内視鏡画像等の画像データ、手術機器の複数種のデータ及び生体情報、患者情報等を読み出して、コンピュータ５７内のハードディスクに格納し、その格納したデータを解析処理、表示処理等の編集ができるようになっている。【００３９】  このコンピュータ５７は、図５にその主要部を示すように本実施の形態の医療機器データ解析装置の機能を備えている。
コンピュータ５７では、全体の制御を行うＣＰＵ３９がインターナルバス４０に接続されている。このインターナルバス４０には、ＣＰＵ３９の作業エリア等に利用されるＲＡＭ４１、通信回線５２に接続されるケーブル４２が接続されるネットワークインターフェース４２ａ、マウス４３がコネクタ部を介して接続されるマウスインターフェース４３ａが接続されている。【００４０】  また、このインターナルバス４０には、キーボード４４と、プログラム、画像データ等が格納されるハードディスク（図５ではＨＤと略記）４５とがそれぞれのインターフェース４４ａと４５ａを介して接続されている。また、インターナルバス４０には、表示処理を行う表示処理回路４７を介して画像を表示するモニタ４８が接続されている。【００４１】  ＣＰＵ３９は、ハードディスク４５に内蔵されたプログラムを最初に読み出してＲＡＭ４１内の所定の領域に書き出し、以後はそのプログラムを実行する。このハードディスク４５は、内視鏡画像等の画像データと、電気メス装置１３、気腹装置１４、超音波処置装置（不図示）等の手術機器の複数種のデータと、生体モニタ装置６５からの生体情報、患者情報等の記録に使用される。【００４２】  従って、記録装置であるハードディスク４５は、手術時に取得した医療機器からの複数種のデータを記録するデータ記録装置としての機能を備えていることになる。
例えば第１の手術室５０で手術を担当した執刀医（術者）は、手術後にキーボード４４を操作してＣＰＵ３９にコマンドを入力し、第１コントローラ５１に格納した患者５２の内視鏡画像等の画像データ、電気メス装置１３、気腹装置１４、超音波処置装置（不図示）等の手術機器の複数種のデータ、及び生体モニタ装置６５からの生体情報、患者情報等をネットワークインターフェース４２ａを介してハードディスク４５に取り込むことができる。すなわち、ケーブル４２に接続されたネットワークインターフェース４２ａは、複数の医療機器のそれぞれから出力される複数種のデータを入力するデータ入力部を構成する。ハードディスク４５にデータを書き込むための、ＣＰＵ３９と、データを書き込むためのプログラムと、インターフェース４５ａとが、データ入力部から入力された複数種のデータを、記録装置であるハードディスク４５に記録するデータ記録部を構成する。【００４３】  そして、術者は、ハードディスク４５に格納されたデータ等を編集して、診断、以後の手術等に利用するのに適したファイルを作成するができると共に、必要に応じて所望とする他の画像データ等を第１のコントローラ５１や手術室サーバ５３から読み出して利用することもできる。【００４４】  また、カンファレンス室５６から手術の支援を行うような場合には、コンピュータ５７のモニタ４８には、手術最中の動画（すなわちライブ画像）を表示することもできる。また、キーボード４４からその動画の画像データの記録の指示設定を行っていると、ハードディスク４５にその画像データが記録されるようになっている。【００４５】  本実施の形態では、手術後等の解析において、前記ハードディスク４５に記録された複数種のデータを同一時間軸により表示可能なグラフ表示処理が行われるように構成されている。
即ち、前記表示処理回路４７は、ハードディスク４５に記憶された手術機器の複数種のデータ及び生体情報を同一時間軸により表示するグラフ表示処理を行い、前記モニタ４８に同一時間軸グラフ表示画面を表示するようになっている。コンピュータ５７のＣＰＵ３９と、以下に説明する図６から図１０の各画面の表示を行うためのプログラムとが、ハードディスク４５に記録された複数種のデータを表示処理する表示処理部を構成する。【００４６】  図６に示すように同一時間軸グラフ表示画面８１は、手術機器データ及び生体情報であるバイタルサインデータが同一時間軸によりグラフ表示されている。
図６中、手術機器データとして表示されているデータは、例えば気腹装置１４から得られる腹腔圧データ、超音波処置装置（不図示）から出力される超音波出力データ、電気メス装置１３から出力される電気メス出力データである。一方、図６中、バイタルサインデータとして表示されているデータは、心拍数、血圧、血中酸素濃度等のデータである。尚、各データは、予め設定されている閾値を超えた場合には、その閾値を示す閾値表示８１ａがなされるようになっている。図６では、「血圧」のグラフに閾値表示８１ａがなされている。【００４７】  これにより、術者は、同一時間軸グラフ表示画面８１を閲覧することにより、医療機器の複数のデータを同一時間軸で確認することができるので、各データ間の関連付けが容易となり、手術内容、手術時の様子を確認しやすい。【００４８】  また、この同一時間軸グラフ表示画面８１には、前記マウス４３によりクリックすることで、グラフ中を時間軸上に沿って左右に水平移動可能な時刻指定バー８２が設けられている。この時刻指定バー８２の下部には、時刻表示部８２ａが配置されている。この時刻表示部８２ａは、前記時刻指定バー８２と一体的に時間軸上に沿って左右に水平移動し、そのバーが位置する時刻を表示するようになっている。
この同一時間軸グラフ表示画面８１では、「数値表示へ」ボタン８３を前記マウス４３によりクリックすることで、前記時刻指定バー８２の位置する時刻における各データ値を数値表示する数値表示画面に切り換わるようになっている。【００４９】  図７に示すように数値表示画面８４には、前記時刻指定バー８２により指定された時刻が時刻表示欄８５に表示されると共に、その時刻における手術機器データ及び生体情報であるバイタルサインデータ等の各データ値がそれぞれ表示されるようになっている。例えば、「９：５０」における腹腔圧データは「１０ｍｍＨｇ」であり、電気メス出力データは「１５０Ｗ」であり、血圧は「１００ｍｍＨｇ」である。
これにより、術者は、数値表示画面８４を閲覧することにより、所望の時刻における医療機器の複数のデータを更に詳細に確認することができる。【００５０】  この数値表示画面８４は、「戻る」ボタン８６を前記マウス４３によりクリックすることで、図６の同一時間軸グラフ表示画面８１に戻るようになっている。
また、図６の同一時間軸グラフ表示画面８１では、術者は、グラフ表示部分において前記マウス４３をクリックしてドラッグすることによって、図８に示すように所望の領域、例えば閾値表示８１ａ付近を領域指定することができる。【００５１】  すると、同一時間軸グラフ表示画面８１は、指定領域（図８中、点線部分）８７に対して時間幅を拡大した拡大表示画面８８に切り換わるようになっている。
図９に示すように拡大表示画面８８は、図８の指定領域８７を切り取って時間幅を拡大表示している。この時間幅の拡大率は、予め設定している拡大率により拡大表示されるようになっているが、術者が任意に行えるようになっていてもよい。【００５２】  術者は、図９に示す拡大表示画面８８を閲覧することにより、所望の領域に対してより詳細に各データ間の関連付けを確認することができる。
この拡大表示画面８８では、「戻る」ボタン８６を前記マウス４３によりクリックすることで、図６の同一時間軸グラフ表示画面８１に戻るようになっている。尚、図８の同一時間軸グラフ表示画面８１では、指定した領域を切り取ってコピーしカルテ等に貼り付けるようにしてもよい。【００５３】  尚、同一時間軸グラフ表示画面８１に表示させる各データのグラフは、表示印刷画面により選択して表示又は印刷できるようになっている。
図１０に示すように表示印刷画面８９は、上部に患者名、手術日時等の手術情報欄８９ａが表示され、この手術情報欄８９ａの下にはそれぞれ時間幅の異なる各データのグラフが一覧表示されるようになっている。また、この表示印刷画面８９では、表示プリセットボタン９０ａ及び印刷プリセットボタン９０ｂが設けられている。【００５４】  この表示印刷画面８９では、これら時間幅の異なるグラフに対してチェックボックス９０ｃをチェックして表示プリセットボタン９０ａを操作することにより、図６で説明したように同一時間軸グラフ表示画面８１に切り換わり、選択した各データのグラフが時間軸を同一にして表示されるようになっている。すなわち、表示印刷画面８９と、チェックされたチェックボックス９０ｃに対応するデータを、表示すべきデータとする処理とが、入力された複数種のデータの中から表示すべきデータを設定する設定部を構成する。【００５５】  そして、表示印刷画面８９において、チェックボックス９０ｃが、表示された複数種のデータの中から、表示すべきデータを選択させる表示選択部を構成し、そのチェックボックス９０ｃがチェックされているか否かによって、表示すべきデータが決定される。【００５６】  一方、表示印刷画面８９では、これら時間幅の異なるグラフに対してチェックボックス９０ｃをチェックして印刷プリセットボタン９０ｂを操作することにより、選択した各データのグラフが印刷されるようになっている。よって、表示印刷画面８９と、チェックされたチェックボックス９０ｃに対応するデータを、印刷すべきデータとする処理とが、入力された複数種のデータの中から印刷すべきデータを設定する設定部を構成する。【００５７】  そして、表示印刷画面８９において、チェックボックス９０ｃが、表示された複数種のデータの中から、印刷すべきデータを選択させる印刷選択部を構成し、そのチェックボックス９０ｃがチェックされているか否かによって、印刷すべきデータが決定される。【００５８】  これにより、術者は、各データのグラフを選択することにより、同一時間軸により表示又は印刷をプリセットできるので、操作性がより向上する。【００５９】  尚、本実施の形態では、医療機器の複数種のデータを１つのグラフで同一時間軸により表示するように構成しているが、医療機器の複数種のデータを個別のグラフや複数のグラフで同一時間軸により表示するようにしても構わない。【００６０】  この結果、本実施の形態によれば、記録された医療機器の複数種のデータを同一時間軸により表示することができるので、各データ間の関連付けが容易となり、手術内容や手術時の様子を確認しやすい。
以上のように、システムコントローラ２２は、内視鏡カメラ装置１５等の医療機器を制御すると共に、コンピュータ５７は、システムコントローラ２２から各種データを受信して上述した処理を行うことによって、複数種のデータを同一時間軸により表示することができる。【００６１】  なお、上述した実施の形態では、図６から図１０の画面表示等の機能は、コンピュータ５７によって実現されているが、システムコントローラ２２あるいは第１のコントローラ５１によって実現するようにしてもよい。例えば、システムコントローラ２２が、上述したコンピュータ５７の機能を実行する場合、ＣＰＵ２２ａ、図示しないインターフェース部等が、複数種のデータのデータ入力部、データを記録するデータ記録部、図６等の画面の表示を行う表示処理部を構成する。【００６２】  また、上述したように、システムコントローラ２２は、各種医療機器に接続され、各種医療機器とデータ通信を行い、かつ制御をすることができる。しかし、システムコントローラ２２が、制御は行わないが、データ通信だけを行う医療機器とも接続されているような場合もある。図１１は、システムコントローラ２２が、制御は行わないが、データ通信を行う医療機器とも接続されている場合の例を示すシステム構成図である。図１１において、図２と同じ構成要素については、同じ符号を付し説明は省略する。図１１は、図２の構成に加えてさらにデータ通信だけを行う医療機器として麻酔装置４１が、システムコントローラ２２に接続されている点が、図２と異なる点である。なお、図１１は、以下の説明に関連しない他の医療機器を図示せずに省略している。【００６３】  外科内視鏡手術では、麻酔装置４１が、電気メス装置１３及び気腹装置１４に加えて利用される。外科内視鏡手術中は、術者の視野及びワーキングスペースを確保のために、気腹装置１４を利用して、患者の腹腔内に炭酸ガスが送り込まれる。【００６４】  麻酔装置４１は、麻酔記録情報、血中酸素飽和濃度（ＳＰＯ２）等のデータを保持している。システムコントローラ２２は、麻酔装置４１と通信を行う共に、電気メス装置１３及び気腹装置１４と通信を行いながら制御を行っている。このような状況において、システムコントローラ２２は、麻酔装置４１から受信した血中酸素飽和濃度（ＳＰＯ２）のデータ値が、所定の値と比較して異常値を示していると判断した場合、システムコントローラ２２は、医師、看護師等が気腹装置１４を操作できるようにしてもよい。【００６５】  例えば、図１２に示すような電気メス装置１３の操作画面が表示されているときに、血中酸素飽和濃度（ＳＰＯ２）の値が異常と判断された場合、図１３に示すような気腹装置１４の操作も可能な画面を、操作パネル２１の表示部に表示する。図１２は、電気メス装置１３の操作画面の例を示す図である。図１３は、気腹装置１４の操作あるいは制御を可能とする画面の例を示す図である。図１２の操作画面１０１は、電気メス装置１３の各種出力に関する表示部１０２を含む。図１３の操作画面１１１は、気腹装置１４の各種操作あるいは制御をするための表示部１１２を含む。表示部１１２は、気腹装置１４の流量、圧力、モード等の状態を表示し、かつモードと圧力の設定��するための操作ボタンを含む。【００６６】  また、そのような場合に、血中酸素飽和濃度（ＳＰＯ２）の値が異常であることを医師等に告知する告知画面を表示装置に表示するようにしてもよい。図１４は、血中酸素飽和濃度（ＳＰＯ２）値が異常であることを告知する告知画面の例を示す図である。告知画面１１３は、図１３の操作画面１１１の画面上にポップアップウインドウ形式で表示される。その告知画面１１３には、「ＳＰＯ２値が異常です」という異常の内容の表示する異常内容表示部と、「気腹装置の流量を下げますか？」というその異常に対して必要な操作内容を表示する操作内容表示部と、「ＹＥＳ」と「ＮＯ」による操作指示をする操作指示部とが含まれるようにして、医師、看護師等がその異常の内容を確認した上で、各種操作を行わせるようにしてもよい。【００６７】  尚、上述した実施の形態を部分的に組み合わせる等して構成される実施の形態も本発明に属する。
【産業上の利用可能性】
【００６８】  本発明の医療機器データ解析装置は、記録された医療機器の複数種のデータ間の関連付
けが容易にできることにより、カルテ作成等におけるデータ解析に適している。
【図１】
0004869951.tif 000002
【図２】
0004869951.tif 000003
【図３】
0004869951.tif 000004
【図４】
0004869951.tif 000005
【図５】
0004869951.tif 000006
【図６】
0004869951.tif 000007
【図７】
0004869951.tif 000008
【図８】
0004869951.tif 000009
【図９】
0004869951.tif 000010
【図１０】
0004869951.tif 000011
【図１１】
0004869951.tif 000012
【図１２】
0004869951.tif 000013
【図１３】
0004869951.tif 000014
【図１４】
0004869951.tif 000015